(57)【要約】【課題】記録媒体を通すための挿入口を通してゴミなどの異物を機器本体に吸い込むこと防止できるカバー及び当該カバーを備えた収容カバーを提供する。【解決手段】カバー２１はＣＤプレーヤ２の機器本体３に取り付けられて前面パネル４の挿入口１３が設けられた前面４ａを覆う。カバー２１は機器本体３の前面８ａの外縁の一部に沿う本体部２４とこの本体部２４にヒンジ２５を介して回転自在に設けられたカバー部２６とを備えている。【選択図】図３
2009238350.tif 000002
【特許請求の範囲】
【請求項１】
情報処理装置の機器本体に取り付けられるとともに挿入口が設けられた前記機器本体の前面を覆うことが可能なカバーにおいて、
前記機器本体に取り付けられかつ当該機器本体の外縁の一部に沿う本体部と、前記本体部の前記前面から離れた側の縁に設けられたヒンジによって、前記前面を覆う位置と前記前面を開放する位置とに亘って回転自在に設けられたカバー部と、
を備えたことを特徴とするカバー。
【請求項２】
前記カバー部は、前記前面を覆う位置に位置付けられると前記前面と間隔をあけて平行に設けられる板部と、この板部の外縁から立設しかつ前記前面を覆う位置に位置付けられると前記機器本体の外縁の残りの部分に沿う枠状部と、を備えたことを特徴とする請求項１記載のカバー。
【請求項３】
請求項１又は請求項２記載のカバーと、
前記カバーに取り付けられて、前記機器本体に着脱自在な前面パネルをこのカバーとの間に収容する蓋部材と、
を備えたことを特徴とする収容カバー。
【発明の詳細な説明】
【技術分野】
【０００１】
本発明は、例えば、機器本体に取り付けられて、挿入口を通して機器本体内に異物が侵入することを防止するカバー及び当該カバーを備えた収容カバーに関する。
【背景技術】
【０００２】
自動車などのインストルメントパネルに取り付けられる情報処理装置として、機器本体と、この機器本体の前面に着脱自在な前面パネルとを備えたＣＤプレーヤが用いられている。
【０００３】
この種のＣＤプレーヤは、前記前面パネルと前記前面との双方に互いに連通する挿入口が設けられ、この挿入口を通して記録媒体としてのＣＤを機器本体に出し入れする。ＣＤプレーヤは、挿入口を通して機器本体内に収容したＣＤの情報を読み出して音声として出力する。
【０００４】
また、前述したＣＤプレーヤは、機器本体内に設けられた電子部品を冷却するための冷却ファンを当該機器本体内に設けられている。冷却ファンは、挿入口を通して外気を機器本体内に吸い込んで、機器本体の背面から気体を排出することで、機器本体内の電子部品を冷却する。さらに、前述したＣＤプレーヤは、挿入口を通して外気を吸い込む際に、ゴミなどの異物を同時に吸い込むことを防止するために、前記挿入口に不織布などで構成される不織布カバーを複数取り付けている。
【発明の開示】
【発明が解決しようとする課題】
【０００５】
前述した従来のＣＤプレーヤは、挿入口からのゴミなどの異物を吸い込むことを防止するために、挿入口に不織布カバーを取り付けていた。この不織布カバーは、挿入口を通したＣＤの出し入れを妨げることを防止するために、容易に変形し易い材料で構成されている。このため、冷却ファンの吸い込む力によっては、不織布カバー間に隙間が生じたり、また、不織布カバーの組立時の貼りずれによって隙間が生じることもあり、当該隙間から挿入口を通してゴミなどの異物を吸い込むことがあった。
【０００６】
したがって、本発明の目的は、例えば、記録媒体を通すための挿入口を通してゴミなどの異物を機器本体に吸い込むこと防止できるカバー及び当該カバーを備えた収容カバーを提供することにある。
【課題を解決するための手段】
【０００７】
前記課題を解決し目的を達成するために、請求項１に記載の本発明のカバーは、情報処理装置の機器本体に取り付けられるとともに挿入口が設けられた前記機器本体の前面を覆うことが可能なカバーにおいて、前記機器本体に取り付けられかつ当該機器本体の外縁の一部に沿う本体部と、前記本体部の前記前面から離れた側の縁に設けられたヒンジによって、前記前面を覆う位置と前記前面を開放する位置とに亘って回転自在に設けられたカバー部と、を備えたことを特徴としている。
【発明を実施するための最良の形態】
【０００８】
以下、本発明の一実施形態にかかるカバーを説明する。本発明の一実施形態にかかるカバーは、機器本体の外縁の一部に沿いかつ当該機器本体の外縁に取り付けられる本体部と、この本体部にヒンジを介して回転自在に設けられたカバー部を有している。このため、カバー部を挿入口が設けられた前面を覆う位置に位置付けることで、当該カバー部が挿入口を覆うこととなる。したがって、挿入口を通してゴミなどの異物を機器本体内に吸い込むことを防止できる。
【０００９】
また、ヒンジが本体部の前面から離れた側の縁に設けられているので、機器本体に取り付けたまま、カバー部を機器本体の前面を開放する位置に位置付けても、当該カバー部が、機器本体が取り付けられるインストルメントパネルなどに干渉することを防止できる。さらに、本体部が機器本体の外縁の一部に沿って形成されている。このため、機器本体に取り付けたまま、カバー部を機器本体の前面を開放する位置に位置付けることで、機器本体の前面に設けられたスイッチなどを確実に操作することができる。
【００１０】
また、カバー部が、板部と枠状部を備えても良い。この場合、カバー部が前面を覆う位置に位置付けられると、本体部と枠状部とが機器本体の前面の外縁を全周に亘って囲むことになるので、挿入口を通してゴミなどの異物を機器本体内に吸い込むことを確実に防止できる。
【００１１】
さらに、本発明は、前述したカバーと、このカバーとの間に前面パネルを収容する蓋部材とを備えた収容カバーとしても良い。この場合、機器本体から取り外した前面パネルを持運びに便利な蓋付きの収容カバーとしても使え、持運び中に前面パネルに異物が付着することを防止でき、当該前面パネルを再び機器本体の前面に取付けた際に挿入口を通してゴミなどの異物を機器本体内に吸い込むことを防止できる。
【実施例】
【００１２】
以下、本発明の一実施例にかかるカバー及び当該カバーを備えた収容カバーを、図１ないし図１４に基づいて説明する。
【００１３】
図９乃至図１２に示された収容カバー１は、情報処理装置としてのＣＤプレーヤ２（図１に示す）の前面パネル４を収容して当該前面パネル４を保護するとともに、後述するカバー２１が機器本体３の前面８ａに取り付けられて当該機器本体３へのゴミなどの異物の侵入を防止する。
【００１４】
図１などに示すＣＤプレーヤ２は、移動体としての自動車のインストルメントパネル（以下、インパネと呼ぶ）などに取り付けられて、記録媒体としての図示しないＣＤを一枚収容して、このＣＤに記録された情報を読み出（再生）して、音声として出力する装置である。ＣＤは、勿論、円板状即ちディスク状に形成されており、コンピュータなどの情報処理装置で読みとることのできる情報を記録した記録媒体である。なお、以下、ＣＤの表面と搬送ユニットのＣＤの搬送方向との双方と平行な図１中の矢印ＹをＣＤプレーヤ２の奥行き方向と記し、ＣＤの表面と平行でかつ前記奥行き方向Ｙと直交する矢印ＸをＣＤプレーヤ２の幅方向と記し、ＣＤの表面と奥行き方向Ｙと幅方向Ｘの全てと直交する矢印ＺをＣＤプレーヤ２の厚み方向と記す。
【００１５】
ＣＤプレーヤ２は、図１乃至図３に示すように、機器本体３（図１に示す）と、前面パネル４と、図示しない搬送ユニットと、図示しないクランプ再生ユニットと、を備えている。
【００１６】
機器本体３は、合成樹脂や金属等からなる図１に示す外側ケース８と、この外側ケース８内に収容された板金などが折り曲げられて得られた図示しないシャーシとを備えている。
【００１７】
外側ケース８は、扁平な箱状に形成されている。外側ケース８の前述したインパネに取り付けると乗員に相対する前面８ａ（図２及び図３に示す）の外縁から周壁８ｂが立設しているとともに、当該前面８ａにはＣＤを出し入れ可能な挿入口１０が一つ設けられている。
【００１８】
周壁８ｂのうち幅方向Ｘに互いに間隔をあける一対の周壁８ｂの内面には、その厚み方向Ｚの両端部にカバー固定用の凹部１１（図８に示す）が設けられている。これらカバー固定用の凹部１１は、勿論、周壁８ｂの内面から凹に形成されている。
【００１９】
挿入口１０は、外側ケース８の外壁を貫通している。挿入口１０は、幅方向Ｘに細長い形状に形成されている。挿入口１０の内面には、不織布で構成されかつＣＤを通すことができるスリットが設けられた不織布カバーが取り付けられている。
【００２０】
前面パネル４は、幅広な帯板状に形成されている。前面パネル４は、機器本体３の前面８ａに着脱自在に設けられている。即ち、前面パネル４は、前面８ａに重ねられて機器本体３に取り付けられる。前面パネル４は、その平面形状が前面８ａの平面形状と略等しく形成されている。前面パネル４は、機器本体３に取り付けられると、その長手方向が幅方向Ｘと平行になり、かつ前面８ａの略全体を覆う。
【００２１】
機器本体３に取り付けられた状態の前面パネル４の外部に露出する前面４ａには、図２及び図３に示すように、各種のスイッチ１４と、挿入口１３とが設けられている。スイッチ１４のうち一つは、幅方向Ｘの一端部に設けられかつ音量を調整するために用いられるダイヤルスイッチ１４ａとなっており、他は、幅方向Ｘの他端部でかつ厚み方向Ｚの下端部に設けられＣＤのプログラムの選択やＣＤの出し入れなどを行うために押圧スイッチ１４ｂとなっている。また、複数のスイッチ１４ｂは、幅方向Ｘに間隔をあけて配置されている。
【００２２】
挿入口１３は、前面パネル４を貫通しているとともに、幅方向Ｘに細長い形状に形成されている。挿入口１３は、前面パネル４が機器本体３の前面８ａに取り付けられると、前述した挿入口１０と互いに連通する。これらの挿入口１０，１３は、内側にＣＤを通すことができる。挿入口１０，１３を通して、前記ＣＤは、外側ケース８即ち機器本体３内に収容されたり、該機器本体３内から排出される。即ち、挿入口１０，１３は、ＣＤを機器本体３に出し入れ自在とする。なお、前面４ａとは、特許請求の範囲に記載された情報処理装置としてのＣＤプレーヤ２の挿入口１３が設けられた前面をなしている。
【００２３】
また、図２及び図９に示すように、前述した機器本体３の前面８ａと、前面パネル４とに亘ってコネクタユニット１９が設けられている。コネクタユニット１９は、前面８ａに設けられた図２に示すコネクタ１９ａと、前面パネル４の前面８ａに相対する背面に設けられてコネクタ１９ａと接続する図９に示すコネクタ１９ｂと、を備えている。このように、これらのコネクタ１９ａ，１９ｂは、前面パネル４が機器本体３の前面８ａに取り付けられると互いに接続する。コネクタユニット１９は、前面パネル４が機器本体３の前面８ａに取り付けられると、機器本体３と前面パネル４とを互いに電気的に接続する。
【００２４】
搬送ユニットは、互いに接離自在なローラアームと、ディスクガイドと、を備えている。ローラアームには、モータなどの駆動源により回転駆動される搬送ローラが取り付けられている。搬送ユニットは、ローラアームの搬送ローラとディスクガイドとの間にＣＤを挟み、搬送ローラがモータなどにより回転駆動されることで、ＣＤを挿入口１０，１３を通して機器本体３に出し入れする。
【００２５】
クランプ再生ユニットは、機器本体３内に収容されたＣＤをクランプして、当該ＣＤの情報を読み出す。
【００２６】
連動機構は、搬送ユニットのＣＤの搬送動作とクランプユニットのＣＤのクランプ動作とを連動させる。
【００２７】
前述した構成のＣＤプレーヤ２は、搬送ユニットによりＣＤを機器本体３に出し入れするとともに、機器本体３内に収容したＣＤをクランプ再生ユニットでクランプして、当該ＣＤの情報を読み出して音声として出力する。
【００２８】
収容カバー１は、図９乃至図１２に示すように、カバー２１と、蓋部材２２と、緩衝部材２３と、を備えている。カバー２１は、絶縁性の合成樹脂で構成され、かつ本体部２４と、ヒンジ２５と、カバー部２６とを一体に備えている。本体部２４は、直線状に延在した帯状の帯状部２７と、この帯状部２７の長手方向の両端から立設しかつ板状に形成された立設部２８とを備えてコ字状に形成されている。帯状部２７の長さは、機器本体３の幅方向Ｘの幅よりも若干小さい。また、一対の立設部２８の外縁には、それぞれ、固定片２９が連なっている。固定片２９は、立設部２８の外縁から立設した片部３０と、この片部３０の外面から凸の係止突起３１とを一体に備えている。固定片２９は、係止突起３１がカバー固定用の凹部１１内に侵入して、当該カバー固定用の凹部１１に係止する。
【００２９】
本体部２４は、固定片２９がカバー固定用の凹部１１に係止して、機器本体３に取り付けられる。本体部２４は、機器本体３に取り付けられると、当該機器本体３の前面８ａの外縁のうちの下縁と側縁の下端部とに沿う。このように、本体部２４は、機器本体３の前面８ａの外縁の一部に沿う。
【００３０】
カバー部２６は、本体部２４の帯状部２７の当該帯状部２７が機器本体３に取り付けられた際に最も機器本体３の前面８ａから離れた側の縁にヒンジ２５を介して連なっている。カバー部２６は、前記ヒンジ２５を介して本体部２４の帯状部２７に連なった板部３２と、この板部３２の外縁に連なった枠状部３３とを一体に備えている。
【００３１】
板部３２は、その平面形状が前面パネル４の平面形状よりも若干大きな平板状に形成されている。板部３２は、本体部２４が機器本体３に取り付けられた状態で、前面８ａ及び前面パネル４の前面４ａと間隔をあけて平行となって当該前面４ａ，８ａの全体を覆う覆い位置（図１、図４乃至図６に示す）と、前記帯状部２７と略面一となって前記前面４ａ，８ａの全体を開放する開放位置（図３に示す）と、に亘って、ヒンジ２５を中心として、回転自在に設けられている。
【００３２】
ヒンジ２５は、帯状部２７と板部３２との双方と一体に形成され、かつこれらの双方よりも厚みが薄く形成されて、変形自在となっている。即ち、ヒンジ２５は、所謂セルフヒンジとなっている。
【００３３】
枠状部３３は、板部３２が覆い位置に位置付けられると、前記帯状部２７と間隔をあけて平行に配置される天板部３４と、当該天板部３４の長手方向の両端に連なりかつ板部３２が覆い位置に位置付けられると、立設部２８と面一となる側板部３５とを備えて、コ字状に形成されている。天板部３４は、帯状部２７と略同形状に形成されている。側板部３５と立設部２８とは、板部３２が覆い位置に位置付けられると、互いに縁が密に接触する。
【００３４】
また、側板部３５には、それぞれ、固定片２９が連なっている。この固定片２９は、側板部３５の外縁から立設しており、前述した固定片２９と構成が等しいので、同一部分に同一符号を付して説明を省略する。
【００３５】
枠状部３３は、固定片２９がカバー固定用の凹部１１に係止して、板部３２が覆い位置に位置付けられると、当該機器本体３の前面８ａの外縁のうちの上縁と側縁の上端部及び中央部とに沿う。このように、枠状部３３は、機器本体３の前面８ａの外縁のうちの本体部２４が取り付けられた部分を除いた残りの部分に沿う。
【００３６】
蓋部材２２は、絶縁性の合成樹脂で構成され、かつ、図９に示すように、板部３６と、この板部３６の外縁から立設した側板部３７とを一体に備えて、扁平な箱状に形成されている。板部３６は、カバー２１のカバー部２６の板部３２と平面形状及び大きさが等しく形成されている。複数の側板部３７のうちの板部３６の長手方向に沿って互いに間隔をあけた一対の側板部３７の内面には、カバー固定用の凹部１１と同形状の凹部３８（図１４に示す）が設けられている。勿論、凹部３８は、側板部３７の内面から凹に形成されており、固定片２９の係止突起３１が係止する。
【００３７】
また、蓋部材２２の一つの側板部３７には係止片３９が設けられ、かつ、カバー２１のカバー部２６の天板部３４には係止片３９が係止する係止受け穴４０が設けられている。
【００３８】
蓋部材２２は、図１４に示すように、凹部３８に固定片２９の係止突起３１が係止し、図１３に示すように、係止片３９が係止受け穴４０に係止することで、カバー２１の開口部を塞ぐ格好（即ちカバー２１内を密閉する格好）で、当該カバー２１に取り付けられる。そして、カバー２１と蓋部材２２は、互いの間に前面パネル４を収容する。
【００３９】
緩衝部材２３は、複数設けられ、図示例では、三つ設けられている。これらの緩衝部材２３は、弾性変形又は弾性を伴わない変形（即ち、塑性変形以外の変形）自在な合成樹脂で構成され、方体状に形成されている。図示例では、一つの緩衝部材２３が、図３に示すように、カバー２１の板部３２の前面４ａ，８ａに相対する表面の中央に取り付けられている。この緩衝部材２３は、カバー２１が機器本体３に取り付けられて板部３２が覆い位置位置付けられると、図７に示すように、前面パネル４の前面４ａに接触して変形する。そして、緩衝部材２３は、カバー２１と前面パネル４とが互いにがたつくことを防止して、異音を発生することを防止する。
【００４０】
また、蓋部材２２の板部３６のカバー２１の板部３２に相対する表面には、図９に示すように、緩衝部材２３が二つ取り付けられている。これら二つの緩衝部材２３は、板部３６の長手方向に互いに間隔をあけて配置されている。緩衝部材２３は、カバー２１と蓋部材２２とが互いに取り付けられると、カバー２１内に挿入された前面パネル４を互いの間に挟みこむとともに、当該前面パネル４に接触して変形する。そして、緩衝部材２３は、カバー２１と蓋部材２２との間即ち収容カバー１内で前面パネル４ががたつくことを防止する。
【００４１】
前述した構成の収容カバー１は、図３に示すように、本体部２４の固定片２９がカバー固定用の凹部１１に係止して、カバー２１のみが前面８ａに前面パネル４を取り付けた機器本体３に取り付けられる。そして、カバー２１は、カバー部２６が覆い位置と開放位置とに亘ってヒンジ２５を中心として回転自在となる。カバー２１は、カバー部２６の固定片２９がカバー固定用の凹部１１に係止されて、図４乃至図６に示すように、前述した覆い位置に保たれる。すると、カバー２１は、挿入口１０，１３を通して機器本体３内にゴミなどの異物が侵入することを防止する。
【００４２】
さらに、カバー２１は、カバー部２６の固定片２９のカバー固定用の凹部１１への係止が解除されて、カバー部２６が開放位置に位置付けられると、挿入口１０，１３やスイッチ１４ａ，１４ｂを露出させて、ＣＤが機器本体３に出し入れされることを許容しかつスイッチ１４ａ，１４ｂが操作されることを許容する。
【００４３】
また、前述した収容カバー１は、図１０乃至図１２に示すように、カバー２１内に機器本体３から取り外された前面パネル４を収容し、かつ当該カバー２１に蓋部材２２を取り付けることで、前述した前面パネル４を収容する。そして、前面パネル４にゴミなどが付着することを防止する。
【００４４】
本実施例によれば、機器本体３の外縁の一部に沿って形成されかつ当該機器本体３の外縁に取り付けられる本体部２４と、この本体部２４にヒンジ２５を介して回転自在に設けられたカバー部２６を有している。このため、カバー部２６を挿入口１３が設けられた前面４ａを覆う覆い位置に位置付けることで、当該カバー部２６が挿入口１３を覆うこととなる。したがって、挿入口１３を通してゴミなどの異物を機器本体３内に吸い込むことを防止できる。
【００４５】
また、ヒンジ２５が本体部２４の前面４ａから離れた側の縁に設けられているので、機器本体３に取り付けたまま、カバー部２６を機器本体３の前面４ａを開放する開放位置に位置付けても、当該カバー部２６が、機器本体３が取り付けられるインストルメントパネルなどに干渉することを防止できる。さらに、本体部２４が機器本体３の外縁の一部に沿って形成されている。このため、機器本体３に取り付けたまま、カバー部２６を機器本体３の前面４ａを開放する開放位置に位置付けることで、機器本体３に取り付けられた前面パネル４の前面４ａに設けられたスイッチ１４ａ，１４ｂなどを確実に操作することができる。
【００４６】
また、カバー部２６が、板部３２と枠状部３３を備えているため、カバー部２６が前面４ａを覆う覆い位置に位置付けられると、本体部２４と枠状部３３とが機器本体３の前面４ａの外縁を全周に亘って囲むことになるので、挿入口１０，１３を通してゴミなどの異物を機器本体３内に吸い込むことを確実に防止できる。
【００４７】
さらに、収容カバー１が、前述したカバー２１と、このカバー２１との間に前面パネル４を収容する蓋部材２２とを備えているため、機器本体３から取り外した前面パネル４を持運びに便利な蓋付きの収容カバー１としても使え、持運び中に前面パネル４に異物が付着することを防止でき、当該前面パネル４を再び機器本体３の前面４ａに取付けた際に挿入口１０，１３を通してゴミなどの異物を機器本体３内に吸い込むことを防止できる。
【００４８】
前述した実施例によれば、以下のカバー２１が得られる。
【００４９】
（付記）  ＣＤプレーヤ２の機器本体３に取り付けられて挿入口１３が設けられた前面４ａを覆うことが可能なカバー２１において、
前記機器本体３に取り付けられかつ当該機器本体３の外縁の一部に沿う本体部２４と、前記本体部２４の前記前面４ａから離れた側の縁に設けられたヒンジ２５によって、前記前面４ａを覆う位置と前記前面４ａを開放する位置とに亘って回転自在に設けられたカバー部２６と、
を備えたことを特徴とするカバー２１。
【００５０】
付記によれば、機器本体３の外縁の一部に沿って形成されかつ当該機器本体３の外縁に取り付けられる本体部２４と、この本体部２４にヒンジ２５を介して回転自在に設けられたカバー部２６を有している。このため、カバー部２６を挿入口１３が設けられた前面４ａを覆う覆い位置に位置付けることで、当該カバー部２６が挿入口１３を覆うこととなる。したがって、挿入口１３を通してゴミなどの異物を機器本体３内に吸い込むことを防止できる。
【００５１】
前述した実施例では、機器本体３に前面パネル４が着脱自在なＣＤプレーヤ２にカバー２１を取り付けるようにしている。しかしながら、本発明では、機器本体３の前面８ａに着脱自在な前面パネル４を設けていない情報処理装置の機器本体の前面にカバー２１を取り付けるようにしても良い。
【００５２】
また、前述した実施例では、カバー２１を、本体部２４とヒンジ２５とカバー部２６とが一体に形成されている。しかしながら、本発明では、カバー２１を複数の部品によって構成しても良い。
【００５３】
前述した実施例では、情報処理装置として自動車に取り付けられるＣＤプレーヤ２を示している。しかしながら、本発明では、ＣＤプレーヤ２に限らず、ポータブルコンピュータや携帯電話などの種々の情報処理装置に適用しても良い。
【００５４】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００５５】
【図１】本発明の一実施例にかかるカバーが取り付けられたＣＤプレーヤの斜視図である。
【図２】図１に示されたＣＤプレーヤの機器本体と前面パネルとカバーとを互いに分解した状態を示す斜視図である。
【図３】図１に示されたカバーのカバー部を開放位置に位置付けた状態を示す斜視図である。
【図４】図１に示されたカバー及びＣＤプレーヤの正面図である。
【図５】図１に示されたカバー及びＣＤプレーヤの平面図である。
【図６】図１に示されたカバー及びＣＤプレーヤの側面図である。
【図７】図４中のＶＩＩ−ＶＩＩ線に沿う断面図である。
【図８】図６中のＶＩＩＩ−ＶＩＩＩ線に沿う断面図である。
【図９】図１に示されたカバーと蓋部材とを備えた本発明の一実施例にかかる収容カバーなどの分解斜視図である。
【図１０】図９に示された収容カバーの組み付け後の正面図である。
【図１１】図９に示された収容カバーの組み付け後の平面図である。
【図１２】図９に示された収容カバーの組み付け後の側面図である。
【図１３】図１１中のＸＩＩＩ−ＸＩＩＩ線に沿う断面図である。
【図１４】図１２中のＸＩＶ−ＸＩＶ線に沿う断面図である。
【符号の説明】
【００５６】
１  収容カバー
２  ＣＤプレーヤ（情報処理装置）
３  機器本体
４  前面パネル
４ａ  前面
１３  挿入口
２１  カバー
２２  蓋部材
２４  本体部
２５  ヒンジ
２６  カバー部
３２  板部
３３  枠状部
【図１】
2009238350.tif 000003
【図２】
2009238350.tif 000004
【図３】
2009238350.tif 000005
【図４】
2009238350.tif 000006
【図５】
2009238350.tif 000007
【図６】
2009238350.tif 000008
【図７】
2009238350.tif 000009
【図８】
2009238350.tif 000010
【図９】
2009238350.tif 000011
【図１０】
2009238350.tif 000012
【図１１】
2009238350.tif 000013
【図１２】
2009238350.tif 000014
【図１３】
2009238350.tif 000015
【図１４】
2009238350.tif 000016